(57)【特許請求の範囲】
【請求項１】
水処理プロセスの好気槽に設けた酸化還元電位計の計測値から好気槽の被処理水の硝化率を推定する推定部と、
前記好気槽の被処理水の硝化率の目標値を設定する目標値設定部と、
前記好気槽に空気を送り込むブロワと、
前記推定部で推定された硝化率の推定値が前記好気槽の被処理水の硝化率の目標値となるように、前記ブロワの風量を上限値および下限値の範囲で制御する制御部とを備え、
前記好気槽の被処理水の硝化率の目標値が、硝化率と前記好気槽から大気中に放出されるN2Oガス量の関係にて平均N2Oガス放出速度が硝化率に対して極大値となる領域を避けて設定された第一目標値と前記第一目標値より大きい値の第二目標値の少なくとも二つであり、
前記目標値設定部は、前記ブロワの風力の上限値および下限値に対応して前記流入負荷の閾値を設定し、前記流入負荷が前記閾値より大きい場合には前記第一目標値を前記好気槽の被処理水の硝化率の目標値とし、前記流入負荷が前記閾値以下の場合に前記第二目標値を前記好気槽の被処理水の硝化率の目標値をとすることを特徴とする水処理プロセス制御装置。
【請求項２】
請求項１の水処理プロセス制御装置において、
前記水処理プロセスの好気槽に設けた酸化還元電位計の代わりに硝酸計を備え、前記推定部が、前記硝酸計により好気槽の被処理水の硝化率を推定することを特徴とする水処理プロセス制御装置。
【請求項３】
請求項１、又は請求項２の水処理プロセス制御装置において、
前記硝化率から推定された一酸化二窒素量と前記ブロワの消費電力量とを表示する表示部と、を備えたことを特徴とする水処理プロセス制御装置。
【発明の詳細な説明】
【技術分野】
【０００１】
本発明は、下水処理場の処理水の水質や温室効果ガス排出量を制御する水処理プロセス制御装置に関する。
【背景技術】
【０００２】
環境問題への対応が必須となった昨今、下水処理場においても、公共水域へ放流する処理水の水質向上の他に、温室効果ガス削減への取り組みが推進されている。
【０００３】
下水処理場から放出される温室効果ガスには、電力消費に由来するＣＯ2や一酸化二窒素（Ｎ2Ｏ）がある。水処理過程で放出されるＮ2Ｏは、下水処理場全体の温室効果ガスの約９％を占める。したがって、下水処理場では、処理水水質の向上と電力低減に加えて、Ｎ2Ｏガスを低減する運転が求められており、実現できる制御手法の開発が望まれている。
【０００４】
処理水水質の向上を低電力で実現することを目的として、様々な制御指標が用いられてきた。一般的な制御指標として、安価な測定器で計測可能な溶存酸素濃度（ＤＯ）や酸化還元電位（ＯＲＰ）がある。ＤＯを制御指標として用いる場合、例えば、好気槽末端のＤＯを一定以上に保つことで、微生物の活性を維持し、有機物・りん除去や硝化反応を制御する。ＯＲＰは嫌気状態の保持に関する制御指標として、一定値以下に管理してりん除去を適正化する目的で使われることが多い。
【０００５】
近年、水質をさらに高度に制御する技術開発が進められている。例えば、〔非特許文献１〕に記載のように、嫌気槽、無酸素槽、好気槽のＯＲＰ値を制御して窒素・りん除去を管理する技術や、〔非特許文献２〕に記載のように、ＤＯ計に加えてアンモニア計を用いて硝化を高精度で制御し、電力低減を図る技術が提案されている。
【０００６】
水処理過程で放出されるＮ2Ｏは、生物反応槽において好気条件下で進行する硝化反応、無酸素条件で進行する脱窒反応の両過程で生成する。このうち、硝化反応は酸素存在下で進行する酸化反応で、まずアンモニア性窒素（以下、ＮＨ4-Ｎ）が主にアンモニア酸化菌による働きで亜硝酸性窒素（以下、ＮＯ2-Ｎ）に酸化され、さらに、亜硝酸酸化菌の働きにより硝酸性窒素（以下、ＮＯ3-Ｎ）にまで酸化される。
【０００７】
その反応過程で、ＮＯ2-Ｎの一部がアンモニア酸化菌の働きにより還元される際に副生成物としてＮ2Ｏが生成するというメカニズムが考えられている（〔非特許文献３〕参照）。
【０００８】
このＮ2Ｏは溶存態として生成するが、好気槽では曝気気泡のパージにより大気中に放出される。このメカニズムから、ＮＯ2-Ｎが蓄積しやすいとＮ2Ｏガス放出量は増加する傾向があり、処理水のＮＯ2-Ｎ濃度と処理場から排出されるＮ2Ｏガス量には相関関係がある。
【０００９】
硝化工程におけるＮ2Ｏガス抑制制御技術には、〔特許文献１〕に記載のように、生物反応槽から発生するＮ2Ｏガスの濃度を直接測定して、供給する酸素の量を制御する方法がある。この方法では、Ｎ2Ｏガス濃度の上昇に基づき、供給する酸素の量を減少させることで、硝化反応の進行を抑制する。その結果、硝化反応の副生成物として生成する溶存Ｎ2ＯおよびＮ2Ｏガスの生成が抑制される。
【先行技術文献】
【特許文献】
【００１０】
【特許文献１】特願２００８−２７１６６４号公報
【非特許文献】
【００１１】
【非特許文献１】三木理、加藤敏朗、高橋直哉、村上孝雄：高度処理プロセスのＯＲＰを用いた効率的制御手法の開発、学会誌「ＥＩＣＡ」、Ｖol.１１、Ｎo.２−３、pp.３７−４０（２００６）
【非特許文献２】遠藤和広：アンモニア計とＤＯ計を用いた送風量制御システムの開発、第４７回下水道研究発表会講演集、pp.９１８−９２０（２０１０）
【非特許文献３】糸川ほか２名：間欠曝気を行うし尿処理施設における硝化・脱窒過程からの亜酸化窒素の発生と制御、環境工学研究論文集、第３２巻、pp.３１１−３１９（１９９５）
【発明の概要】
【発明が解決しようとする課題】
【００１２】
〔非特許文献１〕および〔非特許文献２〕の方法は、処理水の水質を制御するものであり、Ｎ2Ｏガスの生成抑制は考慮されていないという課題があった。〔特許文献１〕の方法では、硝化反応を抑制することでＮ2Ｏガスの生成を低減する。すなわち、Ｎ2Ｏガスが増加した際に硝化反応が抑制されるため、処理水の水質の悪化が懸念されるといった課題があった。
【００１３】
本発明の目的は、水処理プロセスでの処理水水質の維持と温室効果ガス低減を両立する制御を実施できる水処理プロセス制御装置を提供することにある。
【課題を解決するための手段】
【００１４】
上記目的を達成するために、本発明の水処理プロセス制御装置は、
水処理プロセスの被処理水の硝化度を推定する推定部と、前記硝化度の目標値を設定する目標値設定部と、前記水処理プロセスの好気槽に空気を送り込むブロワと、前記硝化度の推定値が前記目標値となるように、前記ブロワの風量を制御する制御部と、を備えた水処理プロセス制御装置において、前記硝化度を推定する手段として酸化還元電位計を備え、推定部の入力情報として少なくとも酸化還元電位を用いることを特徴とする。
【００１５】
あるいは、前記目標値が、第一目標値と前記第一目標値より大きい第二目標値の少なくとも二つで、選択する制御モードに応じて、前記第一目標値あるいは前記第二目標値を前記硝化度の目標値とする目標値設定部と、を備えたことを特徴とする。
【００１６】
あるいは、流入負荷推定部により推定された前記水処理プロセスへの流入負荷が、前記閾値より大きい場合に前記目標値を前記第一目標値とし、前記流入負荷が前記閾値以下の場合に前記目標値を前記第二目標値とすることを特徴とする。
【００１７】
あるいは、前記被処理水の硝化度が前記目標値より大きい場合は、前記硝化度が目標値に近づくように前記ブロワの風量を制御して、前記被処理水の硝化度が前記目標値以下の場合は、あらかじめ設定した制御ルールに基づいて前記ブロワの風量を制御することを特徴とする。
【００１８】
あるいは、前記被処理水の硝化度が前記目標値より小さい場合は、前記硝化度が目標値となるように前記ブロワの風量を制御して、前記被処理水の硝化度が前記目標値以上の場合は、あらかじめ設定した制御ルールに基づいて前記ブロワの風量を制御することを特徴とする。
【００１９】
あるいは、水処理プロセスの被処理水の硝化度を推定する推定部と、前記硝化度の目標値を設定する目標値設定部と、前記水処理プロセスの好気槽に空気を送り込むブロワと、前記硝化度の推定値が前記目標値となるように、前記ブロワの風量を制御する制御部と、を備えた水処理プロセス制御装置において、前記被処理水の硝化度が前記目標値より大きい場合は、前記硝化度が目標値となるように前記ブロワの風量を制御して、前記被処理水の硝化度が前記目標値以下の場合は、あらかじめ設定した制御ルールに基づいて前記ブロワの風量を制御する制御部と、を備えたことを特徴とする。
【００２０】
あるいは、水処理プロセスの被処理水の硝化度を推定する推定部と、前記硝化度の目標値を設定する目標値設定部と、前記水処理プロセスの好気槽に空気を送り込むブロワと、前記硝化度の推定値が前記目標値となるように、前記ブロワの風量を制御する制御部と、を備えた水処理プロセス制御装置において、前記被処理水の硝化度が前記目標値より小さい場合は、前記硝化度が目標値となるように前記ブロワの風量を制御して、前記被処理水の硝化度が前記目標値以上の場合は、あらかじめ設定した制御ルールに基づいて前記ブロワの風量を制御する制御部と、を備えたことを特徴とする。
【００２１】
あるいは、前記水処理プロセスの被処理水の硝化度を推定する推定部への入力がアンモニア計であることを特徴とする。
【００２２】
あるいは、前記水処理プロセスの被処理水の硝化度を推定する推定部への入力が硝酸計であることを特徴とする。
【００２３】
あるいは、前記硝化度から推定された一酸化二窒素量と前記ブロワの消費電力量とを表示する表示部と、を備えたことを特徴とする。
【００２４】
あるいは、前記水処理プロセスの被処理水の亜酸化窒素量を取得する亜酸化窒素量取得部と、前記亜酸化窒素濃度から前記一酸化窒素量を推定する一酸化窒素量推定部と、を備えたことを特徴とする。
【発明の効果】
【００２５】
本発明によれば、水処理プロセスでの処理水水質の維持と温室効果ガス低減を両立する制御を実施できる。
【図面の簡単な説明】
【００２６】
【図１】実施例１の水処理プロセス制御装置の構成図。
【図２】酸化還元電位（ＯＲＰ）と硝化率の関係を表すグラフ。
【図３】硝化率と平均Ｎ2Ｏガス放出速度の関係を表すグラフ。
【図４】実施例１の表示画面例。
【図５】実施例１の制御による酸化還元電位の時間履歴を表すグラフ。
【図６】実施例２の水処理プロセス制御装置の構成図。
【図７】実施例２の制御フローチャート。
【図８】実施例２の制御による酸化還元電位の時間履歴を表すグラフ。
【図９】実施例３の水処理プロセス制御装置の構成図。
【図１０】実施例３の制御フローチャート。
【図１１】実施例３の表示画面例。
【図１２】実施例３の制御による酸化還元電位の時間履歴を表すグラフ。
【図１３】硝化促進モード時のＤＯ制御とＯＲＰ制御を組み合わせた際の酸化還元電位の時間履歴を表すグラフ。
【発明を実施するための形態】
【００２７】
本発明の各実施例について図面を用いて説明する。
【実施例１】
【００２８】
図１は、本発明の実施例１である水処理プロセス制御装置の構成図である。本実施例は、標準活性汚泥法に水処理プロセス制御装置を適用した例で、活性汚泥により下水を処理する好気槽１の処理を制御する。
【００２９】
好気槽１には、空気を供給するブロワ２と、好気槽１の底部に設置されブロワ２から供給される空気を散気する散気管３と、好気槽１での被処理水の酸化還元電位を計測する酸化還元電位計４が設置されている。好気槽１に下水１００が流入し、沈殿池５で固液分離され、上澄み液が処理水１０１として流出する。
【００３０】
酸化還元電位計４に接続された推定部１０は、酸化還元電位計４における計測値を取得し、硝化度を演算する。制御部１１では、推定部１０より推定された硝化度が、目標値設定部１２で設定された目標硝化度となるように、ブロワ２を制御する。表示部１３では、酸化還元電位計４の計測値とそれに対応する硝化度と、目標値設定部１２で設定した目標硝化度とそれに対応する酸化還元電位値を表示する。
【００３１】
本実施例では、硝化の進行を表す指標として硝化率を用いた。硝化率は、一般的には処理水の硝酸性窒素と脱窒により除去される窒素の合計と流入水の全窒素濃度の比率で定義されるが、本実施例では、各好気槽での硝化反応の進行状態を評価するため、好気槽中のＮＯ3-Ｎ濃度［mgＮ／Ｌ］とＮＨ4-Ｎ濃度［mgＮ／Ｌ］の和に占める、ＮＯ3-Ｎ濃度の比率を硝化率［％］と定義した。定義式を数１に示す。
【００３２】
【数１】
0005785816.tif 000002
【００３３】
他の窒素態成分として、有機性窒素や亜硝酸性窒素などがあるが、ここでは実用的な観点から、主要成分のアンモニア性窒素と硝酸性窒素のみを考慮した。
【００３４】
発明者は、この硝化率とＯＲＰの関係を実験により見出した。結果を図２に示す。図２示す結果は、好気槽末端での計測値である。図２から分かるように、誤差はあるが、硝化率はＯＲＰに対して一意的に決まるとみなすことができ、硝化率をＯＲＰにより推定可能と考えられる。
【００３５】
ＯＲＰはNernstの式によって定義されており、酸化体と還元体の濃度によって算出することができる。算出式を数２に示す。
【００３６】
【数２】
0005785816.tif 000003
【００３７】
ここでＯｘは酸化体物質、Ｒｅｄは還元体物質で、ｍ、ｎは平衡式における係数を表す。また、Ｅh［Ｖ］：電極電位、Ｅ0［Ｖ］：標準電極電位、Ｒ［Ｊ／（Ｋ・mol）］：気体定数、Ｔ［Ｋ］：絶対温度、ｎ［mol］：酸化還元反応において授受される電子数、Ｆ［Ｃ／mol］：ファラデー定数である。活性汚泥混合液中に含まれる酸化還元物質のうち、硝化反応ではＮＯ3−ＮがＮＨ4−Ｎに酸化される反応が主反応で、他の物質の濃度は一定と仮定すると、ＯＲＰ値は、log（［ＮＯ3−Ｎ］／［ＮＨ4−Ｎ］）の一次式で表される。これより、数１の硝化率［％］は、数３で表される。
【００３８】
【数３】
0005785816.tif 000004
【００３９】
ここで、Ａ、Ｂは硝化率の推定に用いた係数で、ＯＲＰ［ｍＶ］は実測値である。この実験結果では、Ａ＝−０.０１３、Ｂ＝０.９４となり、相関係数０.９５とよい近似となった。他の実験では異なる係数値となったが、相関係数は同程度であった。計数値の違いには、活性汚泥菌叢や、水温や、水温等の影響による活性汚泥の活性の違いが影響していると考えられる。これらの影響を考慮した推定式の作成は今後の課題であるが、実用上は、対象とする下水処理場毎に計数値を取得し、処理状況が水温等の影響で大きく変化した際に校正することで対応できる。
【００４０】
以上説明したように、好気槽に設置したＯＲＰ計でその好気槽の硝化率を演算できることが分かった。ここで、硝化率は好気槽末端の値であるが、沈殿池においては硝化が進行しないため、処理水の硝化率と同程度とみなせる。また、好気槽の上流側においても、計測点以降の硝化を考慮した関数などにより同様に処理水の硝化率の推定が可能である。計測点以降の硝化を考慮した関数には、例えば、処理水硝化率＝Ｃ×計測硝化率＋Ｄなどがある。
【００４１】
発明者は、この硝化率と好気槽から大気中に放出されるＮ2Ｏガス量の関係を、実験により見出した。結果を図３に示す。ここで、平均Ｎ2Ｏガス放出速度［mgＮ／（ｍ3・ｈ）］は、単位活性汚泥懸濁液体積から放出されるＮ2Ｏガス放出速度で、採取した気体中に含まれるＮ2Ｏガス濃度［mgＮ／ｍ3（gas）］と送気量［ｍ3（gas）／ｈ］と好気槽体積［ｍ3］から算出した。これより、平均Ｎ2Ｏガス放出速度は硝化率に対して極大値を持つ傾向が示された。
【００４２】
硝化がある程度以上促進されると、平均Ｎ2Ｏガス放出速度は低減したが、ＤＯが増大した。ＤＯの増大は、酸素を消費するＮＨ4-Ｎや有機物が生物反応の進行にともない減少したためと考えられる。Ｎ2Ｏの生成は、高いＤＯで抑制されるとされているが、これはＮＯ3-Ｎ、ＮＯ2-ＮからＮ2Ｏへの還元反応が低いＤＯでは局所的に生じることに対して、高いＤＯでは速やかに酸化反応が進行するため、溶存Ｎ2Ｏが蓄積しない可能性が考えられる。
【００４３】
以上の説明のように、活性汚泥処理において、硝化率に対してＮ2Ｏガス放出量が極大値を持ち、その硝化率は好気槽のＯＲＰ計で推定できることが明らかとなり、硝化を適正に制御することで温室効果ガスを低減できることが分かった。
【００４４】
下水処理場の運用では、状況に応じて求める水質が異なり、硝化抑制運転とする場合もあれば、硝化促進運転とする場合もある。水質維持とＮ2Ｏガス低減を両立するためには、図３の結果から分かるように、硝化抑制時はＮ2Ｏ放出量が大きくなる領域の硝化率より小さな硝化率を目標とし、硝化促進時はＮ2Ｏ放出量が大きくなる領域の硝化率より大きな硝化率を目標とすればよい。
【００４５】
表示部１３に表示する画面例を図４に示す。この例では、画面の上部に、計測した酸化還元電位値とそれと対応する硝化率が表示される。この例では、画面中の中段には目標値設定部１２が表示され、制御モードとして硝化抑制モードと硝化促進モードを選択できる。また、目標酸化還元電位を入力でき、硝化度の目標値として、それに対応する目標硝化率が表示される。あるいは、目標硝化率を入力することで、それに対応する目標酸化還元電位が表示される。
【００４６】
このように、処理対象である硝化率の目標値と、計測値である酸化還元電位の目標値を並べて表示することで、処理目標と制御目標を容易に把握でき、適切な運転方法を導出する上での支援情報となる。温室効果ガスとして、ブロワの電力に由来するＣＯ2排出量とＮ2Ｏガスを換算したＣＯ2排出量を示した。ブロワの電力に由来するＣＯ2排出量は、ブロワの消費電力に、消費電力に対するＣＯ2排出量の原単位を乗じることで算出できる。
Ｎ2Ｏガス排出量は、推定した硝化率を図３に示す関係に適用することで推定でき、ＣＯ2排出量は、Ｎ2Ｏの温室効果係数を乗じることで算出できる。
【００４７】
図３に示す関係、すなわち平均Ｎ2Ｏガス放出速度は硝化率に対して極大値を持つ傾向は定性的には成立するが、定量的には変動する。Ｎ2Ｏガスの排出量は、処理水のＮＯ2濃度と相関があることから、処理水のＮＯ2濃度を計測して、その計測値から、例えば比例定数や関数形を決めて、Ｎ2Ｏガスの排出量を概算することができる。処理水のＮＯ2濃度は日単位程度では大きく変化しないため、定期的に計測した値を用いても良い。このように、トレードオフの関係にある処理水の硝化率と温室効果ガス排出量の表示は、最適な運転方法を導出する上での支援情報となる。
【００４８】
制御部１１は、選択したモードの目標値によりブロワ２を制御する。図４は、硝化抑制モードを選択した例で、図５は、硝化抑制モードによる制御状況を表す。
【００４９】
第一目標値である第一目標酸化還元電位は、硝化抑制モードにおける目標値、第二目標値である第二目標酸化還元電位は、硝化促進モードにおける目標値であり、硝化促進モードの第二目標酸化還元電位は、硝化抑制モードの第一目標酸化還元電位よりも大きくなる。これらの目標値は、Ｎ2Ｏガス抑制の観点から、図３に示したＮ2Ｏガスの放出量が大きくなる領域を避けて設定されることが望ましい。
【００５０】
本実施例では、硝化抑制モードが選択されており、実線で示す酸化還元電位の計測値は第一目標酸化還元電位１１０ｍＶ近傍となるように制御されている。すなわち、図４で示したように、硝化率７０％近傍となるように制御されている。この制御により、ブロワ風量不足による水質悪化を避けることができ、ブロワ風量過多によるＮ2Ｏガスと電力消費由来のＣＯ2の増加を抑制できる。
【００５１】
硝化促進モードを選択した場合は、第二目標酸化還元電位近傍となるように制御することで、ブロワ風量不足による水質悪化とＮ2Ｏ増加を避けることができ、ブロワ風量過多による電力由来のＣＯ2の増加を抑制できる。
【００５２】
本実施例では、硝化率の推定に酸化還元電位計４を用いたが、アンモニウムイオン濃度を計測するアンモニア計でも良い。この場合、硝化率の演算に処理前の水質が必要となるが、これには流入水の水質の計測値や、既存の値からの推定値を用いても良い。また、硝化度を表す指標としてアンモニウムイオン濃度を直接用いてもよい。アンモニウムイオン濃度は硝化率とは負の相関を持つ。そのため、図３と同様に、Ｎ2Ｏガスが大きくなる領域が存在するため、二つの目標値を用いることで、所望の水質を得つつ、Ｎ2Ｏガスの低減を図れる。
【００５３】
本実施例では、硝化率の推定に酸化還元電位計４を用いたが、硝酸イオン濃度を計測する硝酸計でも良い。この場合は、硝化率の演算に処理前の水質が必要となるが、流入水の水質の計測値や、既存の値からの推測値を用いても良い。また、硝化度を表す指標として硝酸イオン濃度を直接用いてもよい。硝酸イオン濃度は硝化率とは正の相関を持つ。そのため、図３と同様に、Ｎ2Ｏガスが大きくなる領域が存在するため、二つの目標値を用いることで、所望の水質を得つつ、Ｎ2Ｏガスの低減を図れる。
【００５４】
本実施例では、制御モードを硝化促進と硝化抑制の二つとし、それぞれに対応する制御目標値を示したが、これらは三つ以上でもよい。
【実施例２】
【００５５】
図６は本発明の実施例２である水処理プロセス制御装置の構成図である。本実施例では、実施例１の水処理プロセス制御装置の構成図に水処理プロセスへの流入負荷を推定する流入負荷推定部６として流量計を設置している。
【００５６】
実施例１と同様に、制御モードは、硝化抑制モードと硝化促進モードの二つで、それぞれに第一目標酸化還元電位と第二目標酸化還元電位の値が割りつけられている。Ｎ2Ｏガスを低減するためには、これらの目標値の間のＮ2Ｏガス量が極大となる領域を避けることが望まれる。しかし、ブロワ風量には上限値および下限値があり、流入負荷が小さいため、硝化率、すなわち酸化還元電位を第一目標酸化還元電位に下げられない場合がある。
また、流入負荷が大きいため、酸化還元電位を第二目標酸化還元電位に上げられない場合がある。
【００５７】
そこで、本実施例では流入負荷に閾値を設け、流入負荷に応じて制御モードを切り替える。図７に制御フローを、図８に制御時の酸化還元電位の時間変動を示す。
【００５８】
ステップ（Ｓ１）で、第一目標酸化還元電位および第二目標酸化還元電位に加えて流入負荷の閾値を入力し、ステップ（Ｓ２）で、好気槽のＯＲＰ値を計測し、ステップ（Ｓ３）で、流入負荷を計測する。ステップ（Ｓ４）で、流入負荷とその閾値を比べ、この流入負荷が閾値より大きい場合は、ステップ（Ｓ５−１）で、第一酸化還元電位を目標値とする制御モードとし、閾値以下の場合は、ステップ（Ｓ５−２）で、第二酸化還元電位を目標値とする制御モードとする。ステップ（Ｓ６）で、得られた目標値でＯＲＰ制御を実施し、ステップ（Ｓ７）で、ブロワ風量を出力する。以上を一制御周期で実施し、再びステップ（Ｓ２）で、ＯＲＰ値を計測する。これにより、一定レベル以上の処理水水質を得つつ、Ｎ2Ｏガスの増大を避けることができる。
【００５９】
本実施例では、硝化率の推定に酸化還元電位計４を用いたが、アンモニウムイオン濃度を計測するアンモニア計でも良い。この場合、硝化率の演算に処理前の水質が必要となるが、これには流入水の水質の計測値や、既存の値からの推定値を用いても良い。また、硝化度を表す指標としてアンモニウムイオン濃度を直接用いてもよい。アンモニウムイオン濃度は硝化率とは負の相関を持つ。そのため、図３と同様に、Ｎ2Ｏガスが大きくなる領域が存在するため、二つの目標値を用いることで、所望の水質を得つつ、Ｎ2Ｏガスの低減を図れる。
【００６０】
本実施例では、硝化率の推定に酸化還元電位計４を用いたが、硝酸イオン濃度を計測する硝酸計でも良い。この場合は、硝化率の演算に処理前の水質が必要となるが、これには流入水の水質の計測値や、既存の値からの推測値を用いても良い。また、硝化度を表す指標として硝酸イオン濃度を直接用いてもよい。硝酸イオン濃度は硝化率とは正の相関を持つ。そのため、Ｎ2Ｏガスが大きくなる領域は図３と同様に存在するため、二つの目標値を用いることで、所望の水質を得つつ、Ｎ2Ｏガスの低減を図れる。
【００６１】
本実施例では、制御モードを硝化促進と硝化抑制の二つとし、それぞれに対応する制御目標値を示したが、これらは三つ以上でもよい。
【実施例３】
【００６２】
処理対象となる水質は硝化量のみではないため、水処理プロセスの運用では、ＤＯ制御や流量比例制御や流入負荷制御やこれらの組合せを含め、これまでの運用実績に応じた制御方法を用いて運転を実施している。本実施例では、これらの運転方法と組合せた場合について述べる。一例として、あらかじめ設定した制御ルールをＤＯ制御とし、これと硝化制御方式を組合せた制御方式について説明する。
【００６３】
図９は、本発明の実施例３である水処理プロセス制御装置の構成図である。本実施例は、実施例１の水処理プロセス制御装置の構成図に、好気槽の溶存酸素濃度を計測するＤＯ計７を設置している。
【００６４】
図１０は表示部１３の表示画面である。本実施例では、硝化抑制モードでＤＯ制御＋硝化制御とし、硝化促進モードで硝化制御とした。ＤＯ制御では目標ＤＯ値とＤＯ下限値を設定できる。
【００６５】
図１１に制御フローを示す。ステップ（Ｓ１）で、第一目標値および第二目標値に加えて硝化抑制モード時の目標ＤＯ値と、制御全体におけるＤＯ下限値を入力し、ステップ（Ｓ２）で、好気槽のＯＲＰ値を計測し、ステップ（Ｓ３）で、ＤＯ値を計測する。ステップ（Ｓ４）で、計測したＤＯ値と設定したＤＯ下限値を比較し、計測値が大きければ、ステップ（Ｓ５）で、運転モードを確認する。
【００６６】
硝化促進モードであれば、ステップ（Ｓ７−１）で、第二目標値を酸化還元電位目標値とする。運転モードが硝化抑制モードであれば、ステップ（Ｓ６）で、ＯＲＰ計測値と第一目標値を比較して、第一目標値が大きければ第一目標値を酸化還元電位目標値とする。
そうでなければ、ステップ（Ｓ８−２）で、設定した目標ＤＯ値をＤＯ目標値として、ステップ（Ｓ９−１）で、ＤＯ制御を実施し、ステップ（Ｓ１０）で、ブロワ風量を出力する。ＤＯ値がＤＯ下限値以下であれば、ステップ（Ｓ８−１）で、ＤＯ下限値をＤＯ目標値とし、ステップ（Ｓ９−１）で、ＤＯ制御を実施する。ステップ（Ｓ７−１）、（Ｓ７−２）で、酸化還元電位目標値が設定された場合は、ステップ（Ｓ９−２）で、ＯＲＰ制御を実施し、ステップ（Ｓ１０）で、ブロワ風量を出力する。以上を一制御周期で実施し、再びステップ（Ｓ２）で、ＯＲＰ値を計測する。これにより、これまでの実績をもつ風量制御方法を利用しつつ、Ｎ2Ｏガスの生成を抑制できる。
【００６７】
図１２は、硝化抑制モードでのＤＯ制御と硝化（ＯＲＰ）制御の組合せ制御の時間履歴を示す図である。酸化還元電位が第一目標値を上回る場合はＯＲＰ制御とし、以下となる場合はＤＯ制御となっている。図１３は、硝化促進モード時にＤＯ制御と硝化（ＯＲＰ）制御を組み合わせた際の時間履歴の例で、酸化還元電位が第二目標値を下回る場合はＯＲＰ制御とし、酸化還元電位が第二目標値以上となる場合はＤＯ制御となっている。いずれの場合も、これまでの制御方法ではＮ2Ｏ発生量が大きくなるおそれがあったが、この領域付近でＯＲＰ制御に切り替えることで、Ｎ2Ｏ発生を抑制できる。
【００６８】
本実施例では、あらかじめ設定した制御ルールとして、ブロワ風量をＤＯ値で制御する方法を示したが、ブロワ風量一定制御、流入流量比例制御でもよい。また、流入負荷を計測してこれを関数とする制御方法でもよい。また、以上説明した制御方法の組合せでもよい。また、酸化還元電位目標値とＯＲＰ計測値との差分からブロワ風量の増加減値を求めて、あらかじめ設定した制御ルールで算出したブロワ風量値を増加減してもよい。
【００６９】
本実施例では、硝化率の推定に酸化還元電位計４を用いたが、アンモニウムイオン濃度を計測するアンモニア計でも良い。この場合は、硝化率の演算に処理前の水質が必要となるが、これには流入水の水質の計測値や、既存の値からの推定値を用いても良い。また、硝化度を表す指標としてアンモニウムイオン濃度を直接用いてもよい。アンモニウムイオン濃度は硝化率とは負の相関を持つ。そのため、図３と同様に、Ｎ2Ｏガスが大きくなる領域は存在するため、この領域付近でＯＲＰ制御に切り替えることで、Ｎ2Ｏガスの低減を図れる。
【００７０】
本実施例では、硝化率の推定に酸化還元電位計４を用いたが、硝酸イオン濃度を計測する硝酸計でも良い。この場合は、硝化率の演算に処理前の水質が必要となるが、これには流入水の水質の計測値や、既存の値からの推測値を用いても良い。また、硝化度を表す指標として硝酸イオン濃度を直接用いてもよい。硝酸イオン濃度は硝化率とは正の相関を持つ。そのため、図３と同様に、Ｎ2Ｏガスが大きくなる領域は存在するため、二つの目標値を用いることで、所望の水質を得つつ、Ｎ2Ｏガスの低減を図れる。
【００７１】
本実施例では、制御モードを硝化促進と硝化抑制の二つとし、それぞれに対応する制御目標値を示したが、これらは三つ以上でもよい。
【符号の説明】
【００７２】
１  好気槽
２  ブロワ
３  散気管
４  酸化還元電位計
５  沈殿池
６  流入負荷推定部
７  ＤＯ計
１０  推定部
１１  制御部
１２  目標値設定部
１３  表示部
【図１】
0005785816.tif 000005
【図２】
0005785816.tif 000006
【図３】
0005785816.tif 000007
【図４】
0005785816.tif 000008
【図５】
0005785816.tif 000009
【図６】
0005785816.tif 000010
【図７】
0005785816.tif 000011
【図８】
0005785816.tif 000012
【図９】
0005785816.tif 000013
【図１０】
0005785816.tif 000014
【図１１】
0005785816.tif 000015
【図１２】
0005785816.tif 000016
【図１３】
0005785816.tif 000017